(57)【特許請求の範囲】
【請求項１】
本体と、前記本体に収容された内鍋と、前記本体に開閉自在に取り付けられた蓋体とからなり、前記蓋体に、炊飯中に生じる蒸気を排出するための蒸気排出経路を有する炊飯器において、
前記蒸気排出経路に、おねばを貯留するためのおねば貯留部を設け、該おねば貯留部内におねばが流入する流入口に、貯留されたおねばが前記蒸気排出経路に逆流しないようにする逆流防止弁を設けたことを特徴とする炊飯器。
【請求項２】
前記逆流防止弁は、弾性体からなる舌片であることを特徴とする請求項１に記載の炊飯器。
【請求項３】
前記おねば貯留部に、窓を設けて、該窓から前記おねば貯留部内に貯留されたおねば量をユーザが確認できるようにしたことを特徴とする請求項１または２に記載の炊飯器。
【請求項４】
前記おねば貯留部に、前記おねば貯留部内に貯留されたおねばを取出すことができるように着脱自在の蓋を設けたことを特徴とする請求項１から３のいずれかに記載の炊飯器。
【発明の詳細な説明】
【０００１】
【発明の属する技術分野】
本発明は、炊飯器に関する。
【０００２】
【従来の技術】
従来の炊飯器は、炊飯時に生じる蒸気を外部に排出する蒸気排出経路を有する。また、この蒸気排出経路には、おねばが蒸気とともに炊飯器の蓋体外側に吹きこぼれ非衛生になることを防止するため、炊飯器においておねばを貯留するおねば貯留部が設けられている。このおねば貯留部におねばを貯留することにより、蓋体外側に吹きこぼれないようにしている。
【０００３】
【発明が解決しようとする課題】
しかしながら、従来の炊飯器において、おねば貯留部に貯留されたおねばは、ご飯を収容している内鍋内に古いおねばが環流し、古いおねばがご飯に混ざる場合がある。この場合、ご飯の食味が悪くなるという問題があった。また、おねば貯留部に貯留されたおねば量を外部から確認することができないという問題があった。
【０００４】
本発明は、前記従来の問題点に鑑みてなされたもので、貯留したおねばが再びご飯に混ざらないようにするとともに、貯留されたおねば量を外部から簡単に確認することができる炊飯器を提供することを課題とする。
【０００５】
【課題を解決するための手段】
前記課題を解決するための手段として、本発明は、
本体と、前記本体に収容された内鍋と、前記本体に開閉自在に取り付けられた蓋体とからなり、前記蓋体に、炊飯中に生じる蒸気を排出するための蒸気排出経路を有する炊飯器において、
前記蒸気排出経路に、おねばを貯留するためのおねば貯留部を設け、該おねば貯留部内におねばが流入する流入口に、貯留されたおねばが前記蒸気排出経路に逆流しないようにする逆流防止弁を設けたものである。
【０００６】
前記発明では、おねばを貯留するおねば貯留部を蒸気排出経路に設け、逆流防止弁によりおねば貯留部に貯留されたおねばが蒸気排出経路に逆流しないようにしたので、おねばが、蒸気排出経路を逆流してご飯を収容する内鍋まで戻ることを確実に防止することができる。
【０００７】
前記逆流防止弁は、弾性体からなる舌片であることが好ましい。
【０００８】
前記おねば貯留部に、窓を設けて、該窓から前記おねば貯留部内に貯留されたおねば量をユーザが確認できるようにすることが好ましい。これにより、おねば貯留部内に貯留されたおねばの量を確認することにより、ユーザがおねば貯留部内のおねばを捨てる適切な時期を判断することができる。
【０００９】
前記おねば貯留部に、前記おねば貯留部内に貯留されたおねばを取出すことができるように着脱自在の蓋を設けることが好ましい。これにより、ユーザが、おねば貯留部内に貯留されたおねばを取出して捨てることが可能となり、おねば貯留部内のおねばが満杯になることを回避することができる。
【００１０】
【発明の実施の形態】
以下、本発明の実施の形態を添付図面にしたがって説明する。
【００１１】
図１は、本発明にかかる炊飯器１を示す。この炊飯器１は、内鍋２と、該内鍋２を収容する本体３と、該本体３に開閉可能に取り付けられた蓋体４とからなる。
【００１２】
前記内鍋２は、熱伝導率が高いアルミ等からなる鍋母材の外面に電磁誘導加熱される強磁性材料をコーティングや接合等を施したものである。
【００１３】
前記本体３は、前記内鍋２を収容可能な有底筒形状に形成されている。この本体３には、加熱手段である誘導加熱コイル（不図示）が配設されている。
【００１４】
前記蓋体４は、前記本体３に開閉可能に取り付けられ、この本体３の開口部を閉塞するもので、上板５と、下板６と、該下板６の底面に着脱可能に取り付けられ前記内鍋２の開口部を密閉する内蓋７とからなる。
【００１５】
前記上板５には、蒸気を外部に排出するための流体通路８と外部（大気）とを連通する排出口９が設けられている。
前記内蓋７の内側には、蒸気孔ユニットケース１０が設けられている。また、内蓋７には、図２に示すように、蒸気孔ユニットケース１０の後述する蒸気孔１３と対応する位置に穴７ａと、蒸気孔ユニットケース１０の窓１６と対応する位置に透明材料からなる水位窓７ｂとが設けられている。
【００１６】
前記蒸気孔ユニットケース１０は、図３に示すように、本体部１１と蓋部１２からなり、蓋部１２は、図示しない取付手段により着脱自在に本体部１１に組み付けられている。この蒸気口ユニットケース１０は、流体通路８と内鍋２とを連通させて、内鍋２内に生じる蒸気を外部に排出する蒸気排出経路を形成するものである。
【００１７】
前記本体部１１には、図４、５、６に示すように、内鍋２から本体部１１内に蒸気を導入するための蒸気孔１３と、図５において矢印で示す方向に蒸気を向かわせる蒸気流路１１ａと、後述するトルネードケース２０を収容する収容部１４と、おねばを貯留するおねば貯留部１５とが形成されている。収容部１４には、図３に示すように、おねば貯留部１５の開口部を閉塞するように後述するトルネードケース２０の底面部２０ｂが嵌合する受け部１４ａが形成されている。おねば貯留部１５は、円筒形状であり、その底部には、外側からおねば貯留部１５内部のおねば貯留量を確認することができるように透明材料からなる窓１６が設けられている。また、本体部１１には、図５、６に示すように、おねば貯留部１５の側壁に設けられた連通口１５ａを介して連通するタンク１７が形成されている。
【００１８】
前記蓋部１２には、図３に示すように、蒸気を流体通路８に排出するための排出孔１２ａが形成されている。
【００１９】
前記トルネードケース２０は、図７、８に示すように、上面開口の円筒形状であり、側壁部２０ａと底面部２０ｂからなる。側壁部２０ａには、本体部１１の蒸気流路１１ａからの蒸気をトルネードケース２０内に導入するための側壁口２１が形成されている。この側壁口２１を介してトルネードケース２０内に導入された蒸気は、図８における矢印で示すように、反時計回りに回転することにより蒸気の排出速度が低下する。底面部２０ｂには、おねばが前記おねば貯留部１５に流入するための流入口２２と、後述する舌片部材３０が取り付けられる取付部２３と、底面部２０ｂの外周から下方に延びる筒状部２４とが形成されている。この筒状部２４は、流入口２２からおねば貯留部１５に流入したおねばを下側に導いて、底面部２０ｂと受け部１４ａとの間に侵入しないようにするものである。
【００２０】
前記舌片部材３０は、ゴムなどの弾性体からなり、図９に示すように、舌片部３０ａと基部３０ｂからなるものである。基部３０ｂは、トルネードケース２０の取付部２３に取り付けられ、舌片部３０ａは、容易に変形可能な薄さからなり流入口２２を塞ぐものである。
【００２１】
次に、前記構成からなる炊飯器１の作用について説明する。
【００２２】
炊飯器１の炊飯動作に伴い、内鍋２内のご飯から生じる蒸気とおねばは、図３の矢印で示すように、蒸気口ユニットケース１０内に蒸気孔１３を介して排出される。この蒸気とおねばは、蒸気流路１１ａを通過してトルネードケース２０内に導かれる。蒸気は、トルネードケース２０内において旋回し、蒸気の排出速度が低下した後、排出孔１２ａを介して流体通路８へと排出され、排出口９を介して外部に排出される。
【００２３】
一方、トルネードケース２０内に導かれたおねばは、底面部２０ｂの上面に溜まり、舌片部材３０の舌片部３０ａが、図３中２点鎖線で示すように、おねばの重量により下側に押し下げられると、流入口２２を介しておねば貯留部１５内に流入し、おねば貯留部１５およびタンク１７内に貯留される。舌片部３０ａは、おねばの重量により容易に押し下げられるが、おねばがおねば貯留部１５内に流入した後、すぐに弾性的に元の位置に戻り流入口２２を閉塞するので、貯留されたおねばは、おねば貯留部１５内から逆流することはない。これにより、蒸気流路１１ａを環流して内鍋２内におねばが戻ることを確実に防止することができる。
【００２４】
また、ユーザは、蓋体４を開け、内蓋７の水位窓７ｂを介して蒸気孔ユニットケース１０の窓１６を見て、おねば貯留部１５およびタンク１７内に貯留されたおねば量を確認することができる。ユーザは、貯留されたおねばの水位が、図２に示す水位窓７ｂに設けられた矢印の位置に有ることを確認し、貯留されたおねばが満杯で有ると判断した場合、以下の方法により貯留されたおねばをおねば貯留部１５内から除去することができる。まず、内蓋７を蓋体４から取り外し、露出した蒸気孔ユニットケース１０の蓋部１２を本体部１１から取り外す。トルネードケース２０を本体部１１から取り出し、露出したおねば貯留部１５内を丸洗いすることにより、おねば貯留部１５内に貯留されたおねばを開口部１５ａから排出して空にすることができる。これにより、おねば貯留部１５およびタンク１７が満杯になり、おねばを貯留することができなくなることを回避することができる。
【００２５】
【発明の効果】
以上の説明から明らかなように、本発明によれば、おねばを貯留するおねば貯留部を蒸気排出経路に設け、逆流防止弁によりおねば貯留部に貯留されたおねばを再び蒸気排出経路に戻さないようにしたので、おねばが、蒸気排出経路を環流してご飯を収容する内鍋まで戻ることを確実に防止することができる。これにより、ご飯の食味が向上するという効果を奏する。
【図面の簡単な説明】
【図１】本発明の実施形態にかかる炊飯器を示した断面図。
【図２】図１の内蓋を示した平面図。
【図３】図１の蒸気孔ユニットケースのＩ−Ｉ線断面図。
【図４】図１の蒸気孔ユニットケースの本体部を示した断面図。
【図５】図４の蒸気孔ユニットケースの平面図。
【図６】図５の蒸気孔ユニットケースのＩＩ−ＩＩ線断面図。
【図７】図１のトルネードケースを示した断面図。
【図８】図７のトルネードケースの平面図。
【図９】図１の舌片部材を示した拡大斜視図。
【符号の説明】
１  炊飯器
２  内鍋
３  本体
４  蓋体
１５  おねば貯留部
１７  タンク（おねば貯留部）
２２  流入口
３０ａ  舌片部（逆流防止弁）
【図１】
0003586633.tif 000002
【図２】
0003586633.tif 000003
【図３】
0003586633.tif 000004
【図４】
0003586633.tif 000005
【図５】
0003586633.tif 000006
【図６】
0003586633.tif 000007
【図７】
0003586633.tif 000008
【図８】
0003586633.tif 000009
【図９】
0003586633.tif 000010